(57)【要約】【課題】ＬＥＤを集魚灯の光源として用いるに際し、海面照射を効果的かつ効率的に行うことができ、さらに作業環境に配慮し、しかも各種魚場状況に適用した高漁獲を可能にするＬＥＤを用いた集魚灯装置を提供する。【解決手段】船本体１の両外側に集魚灯２を複数並設する。集魚灯２は多数のＬＥＤを内蔵したＬＥＤユニット３と、ＬＥＤユニット３を支持する支持機構ユニット３とからなる。支持機構ユニット４は、ＬＥＤユニット３を軸５にて回動可能に支持している逆Ｕ字状の支持アーム６と、駆動部材であるピニオン７とラック８と、船本体１に固定されて、ピニオン７とラック８を保持し、ラック８の上下動をガイドするブロック状の移動ガイド部材９と、支持アーム６とラック８との端部に固定された連結部材１０とからなる。【選択図】図３
2005198639.tif 000002
【特許請求の範囲】
【請求項１】
複数の発光ダイオードからなる集魚灯ユニットを支持部材の一端部に回動可能に支持し、前記支持部材の他端部を船体の一部に固定した移動ガイド部材により上下動可能に支持し、前記支持部材を上下駆動させる駆動部材を備え、前記集魚灯ユニットを船外の水面近傍の位置で保持するようにしたことを特徴とする発光ダイオードを用いた集魚灯装置。
【請求項２】
前記集魚灯ユニットにおける水面照射角度を遠隔操作によって可変にしたことを特徴とする請求項１記載の発光ダイオードを用いた集魚灯装置。
【請求項３】
前記集魚灯ユニットが自重によって前記支持部材に対して回動し、船体のローリングにかかわらず、水面を照射するようにしたことを特徴とする請求項１記載の発光ダイオードを用いた集魚灯装置。
【請求項４】
前記駆動部材を、前記支持部材を上下動させるロープ状部材としたことを特徴とする請求項１記載の発光ダイオードを用いた集魚灯装置。
【請求項５】
前記駆動部材を、前記支持部材を上下動させる歯車機構としたことを特徴とする請求項１記載の発光ダイオードを用いた集魚灯装置。
【請求項６】
前記支持部材に、前記集魚灯ユニットを船内の収納部分と船外との間を水平移動可能にする機構を設けたことを特徴とする請求項１記載の発光ダイオードを用いた集魚灯装置。
【発明の詳細な説明】
【技術分野】
【０００１】  本発明は、イカ，サンマなどの光に反応して集まる魚類の性質を利用して、それらの魚群を集めるために用いられる集魚灯、および漁船における集魚システムに関し、特に発光ダイオードを用いた集魚灯装置に関するものである。
【背景技術】
【０００２】  従来、漁業において集魚灯を搭載した漁船による漁法はごく一般的であり、各種の魚類の採取に採用されている。【０００３】  集魚灯としては現在、多数の光源（白色光源，メタルハライド灯）を船体上方の部位に並設し、船上から距離をとって海面を照射するものである。このため、海面照射のための光効率はかなり低いといえ、さらに光源点灯のため大電力を消費することになり、船内発電のための設備および燃料代に多額の経費がかかっていた。【０００４】  また、前記のように、船体上方の部位から海面を照射する構造になっているため、作業中の船員に対して光源から強い紫外線および熱照射が加わり、熱放射による暑さ，火傷の発生、さらには高輝度，高照度の光源あるいは海面を直接的に目視することによる視力低下など、作業環境がかなり悪いとと云える状況である。【０００５】  そこで、前記諸問題を解消するため、光源として特許文献１，２に記載されているように、発光ダイオード（ＬＥＤ）を光源として用いる集魚灯が提案されている。
【特許文献１】特開２０００−１２５６９８号公報
【特許文献２】実用新案登録第３０９６５６１号公報
【発明の開示】
【発明が解決しようとする課題】
【０００６】  前記特許文献１，２に記載されている技術は、ＬＥＤを光源として用い集魚灯の光源として問題を一部解消しているが、ＬＥＤ光源を効果的，効率的に海面に照射する技術しては十分なものではないといえる。【０００７】  すなわち、特許文献１，２に記載されている技術では、光源が、船体に各種部材を介して固定的に支持される構造であるため、船体のローリングと共に光源の照射方向が変わってしまい、気象変化などの海上の状況如何では、海面に対して十分な照射が行われない状態が生じるおそれがあるという問題を指摘することができる。【０００８】  特許文献１，２に記載されている技術では、実際の漁における状況変化に対応した集魚灯の発光状況まで考慮した具体的構造の開示はない。【０００９】  そこで本発明の目的は、前記従来の問題を解決するため、経費の削減を図ることができるＬＥＤを集魚灯の光源として用いるに際し、海面照射を効果的に効率的に行うことができ、かつ作業環境に配慮し、しかも各種魚場状況に適用した高漁獲を可能にするＬＥＤを用いた集魚灯装置を提供することにある。
【課題を解決するための手段】
【００１０】  前記目的を達成するため、本発明の集魚灯装置は、複数の発光ダイオードからなる集魚灯ユニットを支持部材の一端部に回動可能に支持し、前記支持部材の他端部を船体の一部に固定した移動ガイド部材により上下動可能に支持し、前記支持部材を上下駆動させる駆動部材を備え、前記集魚灯ユニットを船外の水面近傍の位置で保持するようにしたものであり、集魚灯ユニットが船体に対して確実に上下移動して、船外において海面上を照射することになり、従来のように船上から光照射することによる問題を解消し、船上における作業環境を大幅に改善することができる。さらに集魚灯ユニットは船体に対して上下動する構造であり、かつ集魚灯ユニットが船体の動きに対して独立して回動できるため、常に海面を効果的，効率的に照射することができるようになる。【００１１】  また、前記集魚灯ユニットにおける水面照射角度を遠隔操作によって可変にすることにより、作業者の意図した照明，照射状況にすることができる。【００１２】  また、前記集魚灯ユニットの自重によって前記支持部材に対して回動し、船体のローリングにかかわらず、水面を照射できるようにしたことにより、簡素化された構造で、常に海面を効果的，効率的に照射することができるようになる。【００１３】  また、前記駆動部材を、前記支持部材を上下動させるロープ状部材にしたり、前記支持部材を上下動させる歯車機構とすることが考えられる。【００１４】  また、前記支持部材に、前記集魚灯ユニットを船内の収納部分と船外との間を水平移動可能にする機構を備えたことによって、集魚灯ユニットの保守，保管が容易になる。
【発明の効果】
【００１５】  本発明のＬＥＤを用いた集魚灯装置によれば、集魚灯ユニットを船体に対して確実に上下移動して、船外において海面上を照射することができ、従来のように船上から光照射することによる問題を解消し、船上における作業環境を大幅に改善することができ、さらに集魚灯ユニットを船体に対して上下動する構造にし、かつ集魚灯ユニットを船体の動きに対して独立して回動できるようにしたため、常に海面を効果的，効率的に照射することができるようになる等、ＬＥＤを用いたことによるコスト面での有利な点に加えて、効果的かつ効率的な水面照射を可能にし、作業環境の改善が行えるなど優れた効果を呈する実際的な集魚灯が実現する。
【発明を実施するための最良の形態】
【００１６】  以下、本発明の実施形態を図面に基づいて説明する。
図１は本発明の第１実施形態を説明するための漁船全体を示す側面図、図２は図１の漁船を船主方向から見た正面図であり、１は船本体、２は船本体１の両外側に複数並設された集魚灯、３は集魚灯２を構成する多数のＬＥＤ（図示せず）を内蔵したＬＥＤユニット、４はＬＥＤユニット３を支持する支持機構ユニットである。【００１７】  図３は前記集魚灯の使用状態を示す正面図、図４は前記集魚灯の他の使用状態を示す正面図であり、各ＬＥＤユニット３は、防水処理が施されかつ透光性を有するカバー体内に複数個のＬＥＤと、必要に応じて駆動回路とを設置することにより構成されている。【００１８】  支持機構ユニット４は、ＬＥＤユニット３を軸５にて回動可能に支持している逆Ｕ字状の支持アーム６と、駆動部材であるピニオン７とラック８と、船本体１に固定され、ピニオン７とラック８を保持し、ラック８の上下動をガイドするブロック状の移動ガイド部材９と、支持アーム６とラック８との端部に固定された連結部材１０と、ストッパ部材１１からなっている。【００１９】  図５は前記連結部材の拡大図、図６は図５の連結部材の一方を示す上面図であり、連結部材１０は、十字状の溝１２を有する一方の連結部材１０ａと、十字状の溝１２に嵌る十字状の凸部１３を有する他方の連結部材１０ｂとからなり、連結部材１０ａと連結部材１０ｂとは着脱可能になっている。【００２０】  次に、第１実施形態の動作について説明する。
図７は集魚灯部分の上面図であり、実線で示す状態が収納状態であり、この状態から前記連結部材１０ａ，１０ｂを、互いの嵌め合いを解除し、ＬＥＤユニット３が船外に出る位置にて、再び連結部材１０ａ，１０ｂを嵌めて点線に示すような位置にセットする。このセットにより、図３に示すように、ＬＥＤユニット３が船外に出て下がった状態にセットされる。この状態で使用可能であるが、図示しないが固定手段を設けて、連結部材１０ａ，１０ｂが動かず、かつ外れないようにするとよい。【００２１】  図３に示す状態で使用可能であるが、図４に示すように、ピニオン７に設けられた図示しないハンドルにて、ピニオン７を回転させ、ラック８を上下動させることによって、海面とＬＥＤユニット３との距離を調整することができる。この調整は、船と水面との関連状況，波高などによって適宜行う。いずれにしても、ＬＥＤユニット３は海中には入れない。【００２２】  このように、第１実施形態では、集魚灯ユニット３が船体に対して確実に上下移動して、船外において海面上を照射することになり、従来のように船上から光照射することによる問題を解消し、船上における作業環境を大幅に改善することができる。【００２３】  さらに第１実施形態では、集魚灯ユニット３を、軸５により支持アーム６に対して回動可能に支持して、船体の動きに対して独立して回動できるようにしているため、船が揺動しても、常に海面を効果的，効率的に照射することが可能である。この集魚灯ユニット３の回動は、軸５にて自由支持することにより可能であり、このようにすることにより、自重で常に重力方向に向くようになる。【００２４】  また、図８（ａ）〜（ｃ）に示すように、集魚灯ユニット３内に錘１５を配設し、この錘１５をガイド軸１６に対して移動可能に設けて、ガイド軸１６の適当な位置で錘１５を固定することにより、集魚灯ユニット３の海面に対する照射角度を任意に設定することができる。【００２５】  また、作業者の意図した照明，照射状況にするように、集魚灯ユニット３における水面照射角度を電気的制御による遠隔操作によって、作業中にも可変にすることも考えられる。【００２６】  図９は本発明の第２実施形態を説明するための集魚灯の使用状態を示す正面図、図１０は第２実施形態の集魚灯における他の使用状態を示す正面図である。【００２７】  第２実施形態において、支持機構ユニット４は、ＬＥＤユニット３を一端部で軸５にて回動可能に支持している逆Ｕ字状の支持アーム６と、船本体１に固定され、支持アーム６の他端部を上下動可能に支持する移動ガイド部材９と、ストッパ部材１１と、支持アーム６を上下駆動させる駆動部材であるワイヤ１８とからなっている。【００２８】  この第２実施形態では、ワイヤ１８にて支持アーム６とＬＥＤユニット３が引っ張られている状態で保持されており、図９から図１０の範囲において、ワイヤ１８の上下移動することにより、ＬＥＤユニット３が海中に入らないように、海面とＬＥＤユニット３との距離を調整することができる。【００２９】  第２実施形態では、第１実施形態における連結部材１０を備えていないが、例えば、支持アーム６を長くし、かつ移動ガイド部材９に対して周方向に回動可能な構造にすることによって、収納時にＬＥＤユニット３を、船本体１の船上縁１ａ以上に高く上げ、支持アーム６をその位置で船内方向へ回動させることにより、船内に収納することができる。【００３０】  図１１は本発明の第３実施形態を説明するための集魚灯の使用状態を示す正面図であり、第３実施形態では、支持機構ユニット４を船本体１の外側に設置している。すなわち、支持機構ユニット４は、ＬＥＤユニット３を一端部で軸５にて回動可能に支持しているブロック体からなる支持部材２０と、船本体１の外側に固定され、支持部材２０の他端部を上下動可能に支持する移動ガイドアーム２１と、ストッパ部材１１と、支持部材２０を上下駆動させる駆動部材であるワイヤ１８とから構成されている。【００３１】  この第３実施形態は、第２実施形態と同様に、ワイヤ１８にて支持部材２０とＬＥＤユニット３が引っ張られている状態で保持されており、ワイヤ１８の上下移動により、ＬＥＤユニット３が海中に入らないように、海面とＬＥＤユニット３との距離を調整することができる。【００３２】  図１２は本発明の第３実施形態の変形例を説明するための集魚灯の使用状態を示す正面図であり、この例では、ＬＥＤユニット３を支持する支持部材２０の他端部を上下動可能に支持する移動ガイドアーム２２を船本体１の船上縁方向に延出させており、海面とＬＥＤユニット３との距離の調整範囲を大きくすることができると共に、移動ガイドアーム２２の上部においてＬＥＤユニット３の保守作業などを容易にすることができる。【００３３】  なお、仕様，船の規模などによって、前記各実施形態の構成を適宜組み合わせて実施するとよい。
【産業上の利用可能性】
【００３４】  本発明は、イカ，サンマなどの光に反応して集まる魚類の性質を利用して、それらの魚群を集めるために用いられる集魚灯、および、その集魚灯を利用する漁船における集魚システムに適用され、特に漁船における作業性および作業環境を向上させる集魚システムとして有効である。【００３５】  さらに、ＬＥＤを用いた集魚灯装置と、ＬＥＤ光源の電源として風力発電機を共に実施することにより、環境問題に対応した漁船における集魚システムとして有効である。
【図面の簡単な説明】
【００３６】
【図１】本発明の第１実施形態を説明するための漁船全体を示す側面図である。
【図２】第１実施形態における図１の漁船を船主方向から見た正面図である。
【図３】第１実施形態における集魚灯の使用状態を示す正面図である。
【図４】図３の第１実施形態における集魚灯における他の使用状態を示す正面図である。
【図５】第１実施形態における連結部材の拡大図である。
【図６】図５の第１実施形態における連結部材の一方を示す上面図である。
【図７】第１実施形態における集魚灯部分の上面図である。
【図８】（ａ）〜（ｃ）は第１実施形態における集魚灯ユニット内に錘と、その動作の説明図である。
【図９】本発明の第２実施形態を説明するための集魚灯の使用状態を示す正面図である。
【図１０】第２実施形態の集魚灯における他の使用状態を示す正面図
【図１１】本発明の第３実施形態を説明するための集魚灯の使用状態を示す正面図である。
【図１２】第３実施形態の変形例を説明するための集魚灯の使用状態を示す正面図である。
【符号の説明】
【００３７】１  船本体
２  集魚灯
３  ＬＥＤユニット
４  支持機構ユニット
５  軸
６  支持アーム
７  ピニオン
８  ラック
９  移動ガイド部材
１０  連結部材
１１  ストッパ部材
１２  十字状の溝
１３  十字状の凸部
１５  錘
１６  ガイド軸
１８  ワイヤ
２０  支持部材
２１，２２  移動ガイドアーム
【図１】
2005198639.tif 000003
【図２】
2005198639.tif 000004
【図３】
2005198639.tif 000005
【図４】
2005198639.tif 000006
【図５】
2005198639.tif 000007
【図６】
2005198639.tif 000008
【図７】
2005198639.tif 000009
【図８】
2005198639.tif 000010
【図９】
2005198639.tif 000011
【図１０】
2005198639.tif 000012
【図１１】
2005198639.tif 000013
【図１２】
2005198639.tif 000014